(57)【要約】【課題】情報記録媒体の上面の情報を読み取るための光学系を構成する光学部品および情報記録媒体の上面に光を照射する照明への塵埃の付着を抑制すること、および、読み取られた情報記録媒体の上面の画像にグレアが発生するのを抑制することが可能な情報読取装置を提供する。【解決手段】この情報読取装置では、情報記録媒体２が載置される載置部材３の上面にカバー部材１５の下端が接触しており、載置部材３とカバー部材１５とによって前面が開口するとともに情報記録媒体２が配置される箱状の媒体配置部１６が形成されている。情報記録媒体２の上面で反射された光が入射する反射ミラーは、カバー部材１５の上面部１５ａの上側に配置されている。情報記録媒体２の上面に光を照射する照明５は、左右方向における媒体配置部１６の両外側に配置されており、照明５から射出されカバー部材１５の透明な側面部１５ｂを透過した光が情報記録媒体２の上面に照射される。【選択図】図３
2018026805.tif 000002
【特許請求の範囲】
【請求項１】
情報記録媒体に記録された情報を光学的に読み取る情報読取装置であって、
前記情報記録媒体が載置される透明な載置部材と、前記載置部材に載置された前記情報記録媒体の下面に光を照射する第１の照明と、前記載置部材に載置された前記情報記録媒体の上面に光を照射する第２の照明と、前記載置部材に載置された前記情報記録媒体の下面に記録された情報を読み取るための第１の光学系と、前記載置部材に載置された前記情報記録媒体の上面に記録された情報を読み取るための第２の光学系とを備えるとともに、
前記情報読取装置への前記情報記録媒体の挿入方向側を奥側とし、前記情報読取装置からの前記情報記録媒体の抜取り方向側を前側とし、前記情報読取装置に対する前記情報記録媒体の挿入抜取り方向を前後方向とし、上下方向と前後方向とに直交する方向を左右方向とすると、
前記載置部材に載置される前記情報記録媒体よりも上側に配置される上面部と、前記上面部の左右の両端側に繋がる側面部と、前記上面部の奥端側に繋がる奥面部とを有するカバー部材を備え、
前記第２の光学系は、前記上面部の上側に配置され前記情報記録媒体の上面で反射された光が入射する反射ミラーを備え、
前記側面部の下端および前記奥面部の下端は、前記載置部材の上面に接触しており、
前記載置部材と前記カバー部材とによって、前面が開口するとともに前記情報記録媒体の少なくとも一部が配置される箱状の媒体配置部が形成され、
前記上面部および前記側面部は、透明になっており、
前記第２の照明は、左右方向における前記媒体配置部の両外側のそれぞれに配置され、
前記第２の照明から射出され前記側面部を透過した光が、前記載置部材に載置される前記情報記録媒体の上面に照射されることを特徴とする情報読取装置。
【請求項２】
前記奥面部の奥側に配置される撮像素子を備え、
前記奥面部は、奥側へ向かう光を遮断する遮光部となっていることを特徴とする請求項１記載の情報読取装置。
【請求項３】
前記第１の照明および前記第２の照明は、白色光を射出する複数の白色ＬＥＤと、赤外光を射出する複数の赤外線ＬＥＤと、紫外光を射出する複数の紫外線ＬＥＤと、複数の前記白色ＬＥＤと複数の前記赤外線ＬＥＤと複数の前記紫外線ＬＥＤとが実装される基板と、複数の前記白色ＬＥＤが射出する前記白色光と複数の前記赤外線ＬＥＤが射出する前記赤外光と複数の前記紫外線ＬＥＤが射出する前記紫外光とが入射する照明レンズとを備えることを特徴とする請求項１または２記載の情報読取装置。
【請求項４】
前記照明レンズの、前記白色光の入射面は、凸面状に形成され、
前記照明レンズの、前記赤外光の入射面は、凹面状に形成され、
前記照明レンズの、前記紫外光の入射面は、凹面状に形成されていることを特徴とする請求項３記載の情報読取装置。
【発明の詳細な説明】
【技術分野】
【０００１】
本発明は、情報記録媒体に記録された情報を光学的に読み取る情報読取装置に関する。
【背景技術】
【０００２】
従来、読取対象物の画像を読み取る画像読取装置が知られている（たとえば、特許文献１参照）。特許文献１に記載の画像読取装置は、読取対象物が載置されるカバーガラスを備えている。カバーガラスの下側には、光源素子と、光源素子から射出された光を読取対象物に照射する導光体とが配置されている。また、カバーガラスの下には、結像光学系とセンサＩＣとが配置されている。この画像読取装置では、カバーガラスに載置される読取対象物の下面の画像が読み取られる。
【先行技術文献】
【特許文献】
【０００３】
【特許文献１】国際公開第２０１４／１２９１５２号
【発明の概要】
【発明が解決しようとする課題】
【０００４】
本願発明者は、両面の画像情報が必要となる情報記録媒体の両面の情報を光学的に読み取ることが可能な情報読取装置の構造を検討している。特許文献１に記載された画像読取装置において、情報記録媒体の両面に記録された情報を光学的に読み取るためには、カバーガラスに載置された情報記録媒体の上面に光を照射する照明、および、情報記録媒体の上面の情報を読み取るための光学系等を設置すれば良い。
【０００５】
しかしながら、情報記録媒体の上面の情報を読み取るための光学系を構成する光学部品や、情報記録媒体の上面に光を照射する照明に塵埃が付着すると、情報記録媒体の上面の画像の読取精度が低下するおそれがあるため、光学系を構成する光学部品や照明に塵埃が付着しないようにする必要がある。また、カバーガラスに載置された情報記録媒体の上面に光を照射する照明の配置を考慮しないと、読み取られた情報記録媒体の上面の画像にグレアが発生するおそれがある。
【０００６】
そこで、本発明の課題は、情報記録媒体の両面に記録された情報を光学的に読み取る情報読取装置において、情報記録媒体の上面の情報を読み取るための光学系を構成する光学部品および情報記録媒体の上面に光を照射する照明への塵埃の付着を抑制すること、および、読み取られた情報記録媒体の上面の画像にグレアが発生するのを抑制することが可能な情報読取装置を提供することにある。
【課題を解決するための手段】
【０００７】
上記の課題を解決するため、本発明の情報読取装置は、情報記録媒体に記録された情報を光学的に読み取る情報読取装置であって、情報記録媒体が載置される透明な載置部材と、載置部材に載置された情報記録媒体の下面に光を照射する第１の照明と、載置部材に載置された情報記録媒体の上面に光を照射する第２の照明と、載置部材に載置された情報記録媒体の下面に記録された情報を読み取るための第１の光学系と、載置部材に載置された情報記録媒体の上面に記録された情報を読み取るための第２の光学系とを備えるとともに、情報読取装置への情報記録媒体の挿入方向側を奥側とし、情報読取装置からの情報記録媒体の抜取り方向側を前側とし、情報読取装置に対する情報記録媒体の挿入抜取り方向を前後方向とし、上下方向と前後方向とに直交する方向を左右方向とすると、載置部材に載置される情報記録媒体よりも上側に配置される上面部と、上面部の左右の両端側に繋がる側面部と、上面部の奥端側に繋がる奥面部とを有するカバー部材を備え、第２の光学系は、上面部の上側に配置され情報記録媒体の上面で反射された光が入射する反射ミラーを備え、側面部の下端および奥面部の下端は、載置部材の上面に接触しており、載置部材とカバー部材とによって、前面が開口するとともに情報記録媒体の少なくとも一部が配置される箱状の媒体配置部が形成され、上面部および側面部は、透明になっており、第２の照明は、左右方向における媒体配置部の両外側のそれぞれに配置され、第２の照明から射出され側面部を透過した光が、載置部材に載置される情報記録媒体の上面に照射されることを特徴とする。
【０００８】
本発明の情報読取装置では、カバー部材を構成する側面部の下端および奥面部の下端が載置部材の上面に接触しており、載置部材とカバー部材とによって前面が開口する箱状の媒体配置部が形成されている。そのため、本発明では、媒体配置部の、情報記録媒体が配置される箇所から、第２の光学系が配置される箇所および第２の照明が配置される箇所へ塵埃が入り込むのを防止することが可能になる。したがって、本発明では、情報記録媒体の上面の情報を読み取るための第２の光学系を構成する光学部品および情報記録媒体の上面に光を照射する第２の照明への塵埃の付着を抑制することが可能になる。
【０００９】
また、本発明では、情報記録媒体の上面で反射された光が入射する反射ミラーは、カバー部材の上面部の上側に配置されている。一方で、第２の照明は、左右方向における媒体配置部の両外側のそれぞれに配置されており、第２の照明から射出され透明な側面部を透過した光が、載置部材に載置される情報記録媒体の上面に照射されている。そのため、本発明では、第２の照明が情報記録媒体の上面に照射する光の入射角を大きくして、情報記録媒体の上面で反射した光が直接的に撮像素子に入射するのを防止することが可能になる。したがって、本発明では、読み取られた情報記録媒体の上面の画像にグレアが発生するのを抑制することが可能になる。
【００１０】
また、本発明では、左右方向における媒体配置部の両外側のそれぞれに第２の照明が配置されており、第２の照明から射出され側面部を透過した光が、載置部材に載置される情報記録媒体の上面に照射されているため、情報読取装置の前側で、媒体配置部に対する情報記録媒体の挿入操作および抜取り操作を行う操作者は、第２の照明から情報記録媒体の上面に照射される光がまぶしいと感じなくなる。
【００１１】
本発明において、情報読取装置は、奥面部の奥側に配置される撮像素子を備え、奥面部は、奥側へ向かう光を遮断する遮光部となっていることが好ましい。このように構成すると、奥面部の奥側に配置される撮像素子に、第１の照明から照射される光および第２の照明から照射される光が直接、入射するのを防止することが可能になる。
【００１２】
本発明において、第１の照明および第２の照明は、白色光を射出する複数の白色ＬＥＤと、赤外光を射出する複数の赤外線ＬＥＤと、紫外光を射出する複数の紫外線ＬＥＤと、複数の白色ＬＥＤと複数の赤外線ＬＥＤと複数の紫外線ＬＥＤとが実装される基板と、複数の白色ＬＥＤが射出する白色光と複数の赤外線ＬＥＤが射出する赤外光と複数の紫外線ＬＥＤが射出する紫外光とが入射する照明レンズとを備えることが好ましい。
【００１３】
このように構成すると、赤外線ＬＥＤから射出される赤外光によって、たとえば、情報記録媒体に記録されたＯＣＲ文字等の機械読取式の印刷情報の読取りを行うことが可能になる。また、紫外線ＬＥＤから射出される紫外光によって、たとえば、目に見えない蛍光発色インクによる印刷情報の読取りを行うことが可能になる。また、このように構成すると、複数の白色ＬＥＤが射出する白色光と複数の赤外線ＬＥＤが射出する赤外光と複数の紫外線ＬＥＤが射出する紫外光とが共通の照明レンズに入射するため、白色光が入射する照明レンズと赤外光が入射する照明レンズと紫外光が入射する照明レンズとが個別に設けられている場合と比較して、情報読取装置の構成を簡素化することが可能になる。
【００１４】
本発明において、たとえば、照明レンズの、白色光の入射面は、凸面状に形成され、照明レンズの、赤外光の入射面は、凹面状に形成され、照明レンズの、紫外光の入射面は、凹面状に形成されている。
【発明の効果】
【００１５】
以上のように、本発明では、情報記録媒体の両面に記録された情報を光学的に読み取る情報読取装置において、情報記録媒体の上面の情報を読み取るための光学系を構成する光学部品および情報記録媒体の上面に光を照射する照明への塵埃の付着を抑制することが可能になるとともに、読み取られた情報記録媒体の上面の画像にグレアが発生するのを抑制することが可能になる。
【図面の簡単な説明】
【００１６】
【図１】本発明の実施の形態にかかる情報読取装置の斜視図である。
【図２】図１に示す情報読取装置の載置部材、カバー部材、第１の照明および第２の照明を抜き出して示す斜視図である。
【図３】図２に示す載置部材、カバー部材、第１の照明および第２の照明の正面図である。
【図４】図１に示す情報読取装置の内部の光路を説明するための側面図である。
【図５】図１に示す情報読取装置のシャッタ機構の動作を説明するための側面図である。
【図６】図２に示す第１の照明、第２の照明の分解斜視図である。
【図７】図６に示す照明レンズの断面図である。
【発明を実施するための形態】
【００１７】
以下、図面を参照しながら、本発明の実施の形態を説明する。
【００１８】
（情報読取装置の概略構成）
図１は、本発明の実施の形態にかかる情報読取装置１の斜視図である。図２は、図１に示す情報読取装置１のガラス板３、カバー部材１５および照明４、５を抜き出して示す斜視図である。図３は、図２に示すガラス板３、カバー部材１５および照明４、５の正面図である。図４は、図１に示す情報読取装置１の内部の光路を説明するための側面図である。図５は、図１に示す情報読取装置１のシャッタ機構１４の動作を説明するための側面図である。
【００１９】
本形態の情報読取装置１は、情報記録媒体２に記録された情報を光学的に読み取る装置である。すなわち、情報読取装置１は、情報記録媒体２に印刷等された文字や図形等を読み取る装置である。この情報読取装置１は、手動式の読取装置であり、情報読取装置１への情報記録媒体２の挿入と情報読取装置１からの情報記録媒体２の抜取りとが手動で行われる。また、本形態の情報読取装置１は、比較的小さな卓上型の読取装置である。情報読取装置１で読み取られる情報記録媒体２は、パスポート２ＡおよびＩＤカード２Ｂである（図３参照）。パスポート２ＡおよびＩＤカード２Ｂには、所有者の顔写真が印刷されている。
【００２０】
情報記録媒体２がパスポート２Ａである場合には、パスポート２Ａの表紙の裏面に記録された情報が情報読取装置１で光学的に読み取られる。情報記録媒体２がＩＤカード２Ｂである場合には、ＩＤカード２Ｂの両面に記録された情報が情報読取装置１で光学的に読み取られる。本形態のパスポート２Ａは、ＩＣパスポートであり、ＩＣチップおよび通信用のアンテナが内蔵されるＩＣページを備えている。また、ＩＤカード２Ｂは、非接触式のＩＣカードであり、ＩＤカード２Ｂには、ＩＣチップと通信用のアンテナとが内蔵されている。また、ＩＤカード２Ｂは、長方形状に形成されている。
【００２１】
パスポート２Ａは、開いた状態で情報読取装置１に挿入される。開いた状態で情報読取装置１に挿入されたパスポート２Ａの表紙の厚さ方向は、上下方向と一致している。また、情報読取装置１に挿入されたＩＤカード２Ｂの厚さ方向は、上下方向と一致している。なお、図４では、説明の便宜上、パスポート２ＡとＩＤカード２Ｂとが一緒に情報読取装置１に挿入されているが、実際には、パスポート２ＡおよびＩＤカード２Ｂのいずれか一方が情報読取装置１に挿入される。
【００２２】
以下の説明では、情報読取装置１への情報記録媒体２の挿入方向側（図１等のＹ２方向側）を「奥」側または「後ろ」側とし、情報読取装置１からの情報記録媒体２の抜取り方向側（図１等のＹ１方向側）を「前」側とする。また、情報読取装置１に対する情報記録媒体２の挿入抜取り方向（図１等のＹ方向）を「前後方向」とし、上下方向と前後方向とに直交する方向（図１等のＸ方向）を「左右方向」とする。
【００２３】
情報読取装置１は、情報記録媒体２が載置される透明なガラス板３と、ガラス板３に載置された情報記録媒体２の下面に光を照射する照明４と、ガラス板３に載置された情報記録媒体２の上面に光を照射する照明５と、ガラス板３に載置された情報記録媒体２の下面に記録された情報を読み取るための光学系６と、ガラス板３に載置された情報記録媒体２の上面に記録された情報を読み取るための光学系７と、撮像素子８と、光学系６を通過した光を撮像素子８に結像させるとともに光学系７を通過した光を撮像素子８に結像させる結像光学系９と、これらの構成が収容される筐体１０とを備えている。撮像素子８は、二次元のＣＭＯＳイメージセンサまたはＣＣＤイメージセンサである。本形態のガラス板３は、載置部材であり、照明４は、第１の照明であり、照明５は、第２の照明である。また、光学系６は、第１の光学系であり、光学系７は、第２の光学系である。
【００２４】
また、情報読取装置１は、光学系６を通過した光の一部を結像光学系９に向かって透過させるとともに光学系７を通過した光の一部を結像光学系９に向かって反射するビームスプリッタ１３と、ガラス板３に載置された情報記録媒体２の下面に記録された情報を読み取るときに光学系７からビームスプリッタ１３に入射する光を遮るとともにガラス板３に載置された情報記録媒体２の上面に記録された情報を読み取るときに光学系６からビームスプリッタ１３に入射する光を遮るシャッタ機構１４とを備えている。ビームスプリッタ１３およびシャッタ機構１４は、筐体１０に収容されている。
【００２５】
さらに、情報読取装置１は、ガラス板３に載置される情報記録媒体２よりも上側に配置される上面部１５ａと、上面部１５ａの左右の両端側に繋がる２個の側面部１５ｂと、上面部１５ａの奥端側に繋がる奥面部１５ｃとを有するカバー部材１５を備えている。本形態のカバー部材１５は、上面部１５ａと２個の側面部１５ｂと奥面部１５ｃとによって構成されている。カバー部材１５は、透明な樹脂で形成されている。たとえば、カバー部材１５は、透明なアクリル樹脂で形成されている。奥面部１５ｃには、たとえば、遮光性の塗料が塗布されており、奥面部１５ｃは、奥側へ向かう光を遮断する遮光部となっている。一方、上面部１５ａおよび側面部１５ｂは、透明になっている。
【００２６】
上面部１５ａは、長方形の平板状に形成されており、上面部１５ａの厚さ方向と上下方向とが一致するように配置されている。また、上面部１５ａは、上面部１５ａの端面が前後方向または左右方向と平行になるように配置されている。側面部１５ｂは、長方形の平板状に形成されており、側面部１５ｂの厚さ方向と左右方向とが一致するように配置されている。奥面部１５ｃは、長方形の平板状に形成されており、奥面部１５ｃの厚さ方向と前後方向とが一致するように配置されている。奥面部１５ｃの左右の両端は、側面部１５ｂの奥端に繋がっている。
【００２７】
ガラス板３は、長方形の平板状に形成されており、ガラス板３の厚さ方向と上下方向とが一致するように配置されている。また、ガラス板３は、ガラス板３の端面が前後方向または左右方向と平行になるように配置されている。側面部１５ｂの下端および奥面部１５ｃの下端は、ガラス板３の上面に接触している。本形態では、ガラス板３とカバー部材１５とによって、前面が開口するとともに情報記録媒体２の少なくとも一部が配置される箱状の媒体配置部１６が形成されている。媒体配置部１６は、直方体の箱状に形成されている。図１に示すように、媒体配置部１６の、前面の開口以外の部分は、筐体１０によって覆われている。
【００２８】
ガラス板３には、ＩＤカード２Ｂの全体が載置される。すなわち、媒体配置部１６には、ＩＤカード２Ｂの全体が配置される。また、ガラス板３には、開いた状態のパスポート２Ａの背表紙がガラス板３の前端側に配置されるように、パスポート２Ａの一部が載置される。すなわち、媒体配置部１６には、パスポート２Ａの一部が配置される。また、パスポート２Ａは、個人情報が記録された表紙の裏面が下側を向くようにガラス板３に載置される。本形態では、ガラス板３に載置されたＩＤカード２Ｂの前後方向の幅は、パスポート２Ａの、ガラス板３に載置された部分の前後方向の幅よりも狭くなっている。また、ガラス板３に載置されたＩＤカード２Ｂの左右方向の幅は、パスポート２Ａの左右方向の幅よりも狭くなっている。
【００２９】
ガラス板３の下側には、ＩＤカード２Ｂに内蔵される通信用のアンテナと通信を行うためのアンテナ（図示省略）が配置されている。このアンテナは、ガラス板３に載置された情報記録媒体２の下面の情報を光学に読み取る際に支障の出ない位置に配置されている。また、ガラス板３よりも前側には、図１に示すように、パスポート２Ａに内蔵される通信用のアンテナと通信を行うためのアンテナ１７が配置されている。アンテナ１７は、ガラス板３よりも下側に配置されている。なお、パスポート２Ａの仕様によっては、ガラス板３の下側に配置されるアンテナと、パスポート２Ａに内蔵されるアンテナとの通信が行われることもある。
【００３０】
また、情報読取装置１は、図１に示すように、情報読取装置１の前面側かつ上面側に配置されるカメラ１８を備えている。カメラ１８は、媒体配置部１６よりも上側に配置されている。カメラ１８の光軸は、前側に向かうにしたがって上側に向かうように傾斜している。カメラ１８は、たとえば、情報記録媒体２の読取操作を行う者の顔を撮影する。
【００３１】
（照明の構成および配置）
図６は、図２に示す照明４、５の分解斜視図である。図７は、図６に示す照明レンズ２５の断面図である。
【００３２】
照明４、５は、複数の光源を備えている。本形態の照明４、５は、光源として、白色光を射出する複数の白色ＬＥＤ２０と、赤外光を射出する複数の赤外線ＬＥＤ２１と、紫外光を射出する複数の紫外線ＬＥＤ２２とを備えている。白色ＬＥＤ２０は、面発光型のＬＥＤであり、拡散光を射出する。赤外線ＬＥＤ２１は、平行光を射出する。紫外線ＬＥＤ２２は、点発光型の広角発光ＬＥＤである。また、照明４、５は、複数の白色ＬＥＤ２０と複数の赤外線ＬＥＤ２１と複数の紫外線ＬＥＤ２２とが実装される基板２４と、複数の白色ＬＥＤ２０が射出する白色光と複数の赤外線ＬＥＤ２１が射出する赤外光と複数の紫外線ＬＥＤ２２が射出する紫外光とが入射する照明レンズ２５とを備えている。
【００３３】
基板２４は、細長い長方形の平板状に形成されている。基板２４は、基板２４の長手方向と前後方向とが一致するように配置されている。図６に示すように、基板２４の一方の面には、基板２４の長手方向に沿って２個の赤外線ＬＥＤ２１と１個の紫外線ＬＥＤ２２と１個の白色ＬＥＤ２０と２個の赤外光ＬＥＤ２１とがこの順番で、かつ、繰り返し実装されている。２個の赤外光ＬＥＤ２１は、基板２４の短手方向で隣り合うように配置されている。また、白色ＬＥＤ２０、赤外光ＬＥＤ２１および紫外線ＬＥＤ２２が実装される基板２４の一方の面には、コネクタ２６が実装されている。
【００３４】
照明レンズ２５は、細長い略直方体状に形成されている。照明レンズ２５は、白色ＬＥＤ２０、赤外線ＬＥＤ２１および紫外線ＬＥＤ２２が実装される基板２４の一方の面に固定されている。また、照明レンズ２５は、リベット２７によって基板２４に固定されている。照明レンズ２５には、上述のように、複数の白色ＬＥＤ２０が射出する白色光と複数の赤外線ＬＥＤ２１が射出する赤外光と複数の紫外線ＬＥＤ２２が射出する紫外光とが入射する。情報記録媒体２には、照明レンズ２５を透過した光が照射される。
【００３５】
図７に示すように、照明レンズ２５には、白色ＬＥＤ２０が射出する白色光が入射する入射面２５ａと、赤外線ＬＥＤ２１が射出する赤外光が入射する入射面２５ｂ、２５ｃと、紫外線ＬＥＤ２２が射出する紫外光が入射する入射面２５ｄとが形成されている。入射面２５ａは、均一な白色光が情報記録媒体２に照射されるように、凸面状に形成されている（図７（Ａ）参照）。入射面２５ｄは、均一な紫外光が情報記録媒体２に照射されるように、凹面状に形成されている（図７（Ｃ）参照）。
【００３６】
入射面２５ｂ、２５ｃは、均一な赤外光が情報記録媒体２に照射されるように、凹面状に形成されている（図７（Ｂ）参照）。入射面２５ｂには、基板２４の短手方向で隣り合うように配置される２個の赤外線ＬＥＤ２１のうちの一方の赤外線ＬＥＤ２１から射出される赤外光が入射し、入射面２５ｃには、他方の赤外線ＬＥＤ２１から射出される赤外光が入射する。入射面２５ｂが形成される凹部の深さは、入射面２５ｃが形成される凹部の深さよりも深くなっている。
【００３７】
照明レンズ２５の光の射出面は、図７に示すように、凸曲面２５ｅと凹曲面２５ｆとから構成されている。また、照明レンズ２５の側面には、基板２４に実装されるコネクタ２６等の電子部品と照明レンズ２５との干渉を防止するための切欠き部２５ｇが形成されている。切欠き部２５ｇは、照明レンズ２５の長手方向に沿った側面に形成されている。また、切欠き部２５ｇは、照明レンズ２５の長手方向の全域に形成されている。凹曲面２５ｆは、切欠き部２５ｇ側に形成され、凸曲面２５ｅは、切欠き部２５ｇが形成されていない側に形成されている。
【００３８】
図３に示すように、照明４は、ガラス板３よりも下側に配置されている。また、情報読取装置１は、２個の照明４を備えており、照明４は、左右方向におけるガラス板３の両外側のそれぞれに配置されている。また、照明４は、撮像素子８の視野角から外れた位置に配置されている。ガラス板３よりも右側に配置される照明４は、この照明４の基板２４が右上がりで傾斜するように配置され、ガラス板３よりも左側に配置される照明４は、この照明４の基板２４が左上がりで傾斜するように配置されている。２個の照明４は、照明レンズ２５が左右方向の内側を向くように配置されている。
【００３９】
また、照明４は、照明レンズ２５の切欠き部２５ｇが上側を向くように配置されており、凸曲面２５ｅは、凹曲面２５ｆよりも下側に配置されている。すなわち、凸曲面２５ｅは、凹曲面２５ｆよりも情報記録媒体２から離れた位置に配置されている。照明４は、ガラス板３に載置される情報記録媒体２に向かって左右方向の外側から、かつ、斜め下側から光を照射する。また、照明４から射出されガラス板３を透過した光が、ガラス板３に載置される情報記録媒体２の下面に照射される。また、凸曲面２５ｅから射出された光が、左右方向において、情報記録媒体２の、照明４から遠い箇所に照射され、凹曲面２５ｆから射出された光が、左右方向において、情報記録媒体２の、照明４に近い箇所に照射される。
【００４０】
照明５は、ガラス板３に載置される情報記録媒体２よりも上側に配置されている。また、情報読取装置１は、２個の照明５を備えており、照明５は、左右方向における媒体配置部１６の両外側のそれぞれに配置されている。すなわち、２個の照明５のうちの一方の照明５は、右側に配置される側面部１５ｂの右側に配置され、２個の照明５のうちの他方の照明５は、左側に配置される側面部１５ｂの左側に配置されている。また、照明５は、撮像素子８の視野角から外れた位置に配置されている。右側に配置される側面部１５ｂの右側に配置される照明５は、この照明５の基板２４が右下がりで傾斜するように配置され、左側に配置される側面部１５ｂの左側に配置される照明５は、この照明５の基板２４が左下がりで傾斜するように配置されている。２個の照明５は、照明レンズ２５が左右方向の内側を向くように配置されている。
【００４１】
また、照明５は、照明レンズ２５の切欠き部２５ｇが下側を向くように配置されており、凸曲面２５ｅは、凹曲面２５ｆよりも上側に配置されている。すなわち、凸曲面２５ｅは、凹曲面２５ｆよりも情報記録媒体２から離れた位置に配置されている。照明５は、ガラス板３に載置される情報記録媒体２に向かって左右方向の外側から、かつ、斜め上側から光を照射する。また、照明５から射出され側面部１５ｂを透過した光が、ガラス板３に載置される情報記録媒体２の上面に照射される。また、凸曲面２５ｅから射出された光が、左右方向において、情報記録媒体２の、照明５から遠い箇所に照射され、凹曲面２５ｆから射出された光が、左右方向において、情報記録媒体２の、照明５に近い箇所に照射される。
【００４２】
なお、照明４、５から照射される赤外光は、ＯＣＲ文字等の機械読取式の印刷情報の読取りに用いられる。また、照明４、５から照射される紫外光は、情報記録媒体２の真偽判定に必要な印刷情報の読取りに用いられる。具体的には、照明４、５から照射される紫外光は、目に見えない蛍光発色インクによる印刷情報の読取りに用いられる。
【００４３】
（光学系、結像光学系、ビームスプリッタ、撮像素子の構成および配置）
光学系６は、長方形の平板状に形成された３個の反射ミラー（全反射ミラー）３０、３１、３２を備えている。反射ミラー３０は、反射ミラー３１よりも大きくなっており、反射ミラー３１は、反射ミラー３２よりも大きくなっている。反射ミラー３０、３１は、ガラス板３よりも下側に配置されている。具体的には、反射ミラー３０は、ガラス板３に載置されるパスポート２Ａの下側に配置されている。また、反射ミラー３１は、反射ミラー３０と略同じ高さに配置されるとともに、反射ミラー３０よりも後ろ側に配置されている。反射ミラー３２は、媒体配置部１６の後ろ側に配置されている。すなわち、反射ミラー３２は、カバー部材１５の奥面部１５ｃの後ろ側に配置されている。また、反射ミラー３２は、反射ミラー３１の上側に配置されている。
【００４４】
反射ミラー３０〜３２は、上下方向に対して所定の角度傾いた状態で配置されている。具体的には、図４に示すように、反射ミラー３０〜３２は、左右方向から見たときに上下方向に対して所定の角度傾いた状態で配置されている。反射ミラー３０は、後ろ側に向かうにしたがって下側に向かうように傾斜し、反射ミラー３１、３２は、後ろ側に向かうにしたがって上側に向かうように傾斜している。反射ミラー３０〜３２の上下方向に対する傾斜角度は、略４５°となっている。
【００４５】
反射ミラー３０には、ガラス板３に載置された情報記録媒体２の下面で反射された光が入射する。反射ミラー３１には、反射ミラー３０で反射された光が入射し、反射ミラー３２には、反射ミラー３１で反射された光が入射する。反射ミラー３０では、情報記録媒体２の下面で反射されて下側へ向かう光の光軸が後ろ側に折り曲げられる。また、反射ミラー３１では、反射ミラー３０で反射されて後ろ側へ向かう光の光軸が上側に折り曲げられ、反射ミラー３２では、反射ミラー３１で反射されて上側に向かう光の光軸が後ろ側に折り曲げられる。
【００４６】
光学系７は、長方形の平板状に形成された２個の反射ミラー（全反射ミラー）３３、３４を備えている。反射ミラー３３は、反射ミラー３４よりも大きくなっている。反射ミラー３３、３４は、ガラス板３に載置される情報記録媒体２よりも上側に配置されている。具体的には、反射ミラー３３は、ガラス板３に載置されるＩＤカード２Ｂの上側に配置されている。また、反射ミラー３３は、カバー部材１５の上面部１５ａの上側（すなわち、媒体配置部１６の上側）に配置されている。反射ミラー３４は、反射ミラー３３と略同じ高さに配置されるとともに、ガラス板３よりも後ろ側（すなわち、媒体配置部１６よりも後ろ側）に配置されている。
【００４７】
反射ミラー３３、３４は、上下方向に対して所定の角度傾いた状態で配置されている。具体的には、図４に示すように、反射ミラー３３、３４は、左右方向から見たときに上下方向に対して所定の角度傾いた状態で配置されている。反射ミラー３３は、後ろ側に向かうにしたがって上側に向かうように傾斜し、反射ミラー３４は、後ろ側に向かうにしたがって下側に向かうように傾斜している。反射ミラー３３、３４の上下方向に対する傾斜角度は、略４５°となっている。
【００４８】
反射ミラー３３には、ガラス板３に載置された情報記録媒体２の上面で反射された光が入射する。反射ミラー３４には、反射ミラー３３で反射された光が入射する。反射ミラー３３では、情報記録媒体２の上面で反射されて上側へ向かう光の光軸が後ろ側に折り曲げられ、反射ミラー３４では、反射ミラー３３で反射されて後ろ側へ向かう光の光軸が下側に折り曲げられる。
【００４９】
結像光学系９は、結像レンズ３５を備えている。結像レンズ３５は、反射ミラー３２の後ろ側に配置されている。すなわち、結像レンズ３５は、カバー部材１５の奥面部１５ｃの後ろ側に配置されている。また、結像レンズ３５は、反射ミラー３４よりも後ろ側に配置されている。撮像素子８は、結像レンズ３５の後ろ側に配置されている。すなわち、撮像素子８は、奥面部１５ｃの後ろ側（奥側）に配置されている。撮像素子８は、撮像素子８の撮像面が前側を向くように配置されている。
【００５０】
ビームスプリッタ１３は、長方形の平板状に形成されている。本形態のビームスプリッタ１３は、光の透過率と反射率とが等しいハーフミラーである。ビームスプリッタ１３は、前後方向において、反射ミラー３２と結像レンズ３５との間に配置されている。すなわち、ビームスプリッタ１３は、反射ミラー３２の後ろ側であって、かつ、結像レンズ３５の前側に配置されている。また、ビームスプリッタ１３は、反射ミラー３４の下側に配置されている。
【００５１】
ビームスプリッタ１３は、上下方向に対して所定の角度傾いた状態で配置されている。具体的には、図４に示すように、ビームスプリッタ１３は、左右方向から見たときに上下方向に対して所定の角度傾いた状態で配置されている。ビームスプリッタ１３は、後ろ側に向かうにしたがって下側に向かうように傾斜している。ビームスプリッタ１３の上下方向に対する傾斜角度は、略４５°となっている。ビームスプリッタ１３は、反射ミラー３２で反射された光の半分を結像レンズ３５に向かって透過させるとともに、反射ミラー３４で反射された光の半分を結像レンズ３５に向かって反射する。
【００５２】
（シャッタ機構の構成）
シャッタ機構１４は、光学系６とビームスプリッタ１３との間の光路（すなわち、反射ミラー３２とビームスプリッタ１３との間の光路）を遮る第１遮光位置３７Ａ（図５（Ｂ）参照）と、光学系７とビームスプリッタ１３との間の光路（すなわち、反射ミラー３４とビームスプリッタ１３との間の光路）を遮る第２遮光位置３７Ｂ（図５（Ａ）参照）との間で移動可能なシャッタ３７を備えている。シャッタ３７は、反射ミラー３２、３４とビームスプリッタ１３との間の光路を遮る遮光部３７ａを備えている。
【００５３】
また、シャッタ機構１４は、第１遮光位置３７Ａと第２遮光位置３７Ｂとの間でシャッタ３７を移動させるシャッタ駆動機構を備えている。シャッタ駆動機構は、シャッタ３７が固定されるレバー部材３９、および、レバー部材３９を回動させるソレノイド（図示省略）等を備えている。レバー部材３９は、左右方向を回動の軸方向として回動可能となっている。
【００５４】
（情報読取装置の情報読取動作）
情報読取装置１でパスポート２Ａに記録された情報が読み取られる場合、パスポート２Ａは、個人情報が記録された表紙の裏面が下側を向くようにガラス板３に載置される。パスポート２Ａがガラス板３に載置されると、照明４が光を照射して、パスポート２Ａに記録された情報が光学的に読み取られる。このときには、シャッタ３７は、第２遮光位置３７Ｂに配置されている。また、照明５は光を照射しない。
【００５５】
一方、情報読取装置１でＩＤカード２Ｂに記録された情報が読み取られる場合、ＩＤカード２Ｂがガラス板３に載置されると、まず、照明４が光を照射して、ＩＤカード２Ｂの下面に記録された情報が光学的に読み取られる。このときには、シャッタ３７は第２遮光位置３７Ｂに配置されており、また、照明５は光を照射しない。ＩＤカード２Ｂの下面に記録された情報が読み取られると、シャッタ３７は第１遮光位置３７Ａに移動するとともに、照明５が光を照射して、ＩＤカード２Ｂの上面に記録された情報が光学的に読み取られる。このときには、照明４は光を照射しない。
【００５６】
なお、ＩＤカード２Ｂに記録された情報が読み取られる場合、ＩＤカード２Ｂの上面に記録された情報が読み取られた後に、ＩＤカード２Ｂの下面に記録された情報が読み取られても良い。また、ＩＤカード２Ｂに記録された情報が読み取られる場合には、たとえば、ＩＤカード２Ｂの下面に記録された情報と上面に記録された情報とが数１０ミリ秒で読み取られる。
【００５７】
（本形態の主な効果）
以上説明したように、本形態では、ガラス板３とカバー部材１５とによって、前面が開口するとともに情報記録媒体２の少なくとも一部が配置される箱状の媒体配置部１６が形成されている。また、本形態では、媒体配置部１６の外側に照明４、５および光学系６、７が配置されている。そのため、本形態では、媒体配置部１６の、情報記録媒体２が配置される箇所から、照明４、５が配置される箇所および光学系６、７が配置される箇所へ塵埃が入り込むのを防止することが可能になる。したがって、本形態では、光学系６、７を構成する反射ミラー３０〜３４および照明４、５への塵埃の付着を抑制することが可能になる。
【００５８】
また、本形態では、媒体配置部１６の、前面の開口以外の部分は、筐体１０によって覆われており、照明４、５および光学系６、７は、筐体１０に収容されている。そのため、本形態では、媒体配置部１６の、情報記録媒体２が配置される箇所以外の箇所から、照明４、５が配置される箇所および光学系６、７が配置される箇所へ塵埃が入り込むのを防止することも可能になる。したがって、本形態では、光学系６、７を構成する反射ミラー３０〜３４および照明４、５への塵埃の付着を効果的に抑制することが可能になる。
【００５９】
本形態では、情報記録媒体２の上面で反射された光が入射する反射ミラー３３は、ガラス板３に載置された情報記録媒体２の上側（具体的には、ＩＤカード２Ｂの上側）に配置されている。一方で、照明５は、左右方向における媒体配置部１６の両外側のそれぞれに配置されており、照明５から射出され透明な側面部１５ｂを透過した光が、ガラス板３に載置される情報記録媒体２の上面に照射されている。そのため、本形態では、照明５が情報記録媒体２の上面に照射する光の入射角を大きくして、情報記録媒体２の上面で反射した光が直接的に撮像素子８に入射するのを防止することが可能になる。したがって、本形態では、読み取られた情報記録媒体２の上面の画像にグレアが発生するのを抑制することが可能になる。
【００６０】
また、本形態では、左右方向における媒体配置部１６の両外側のそれぞれに照明５が配置されており、照明５から射出され側面部１５ｂを透過した光が、ガラス板３に載置される情報記録媒体２の上面に照射されているため、情報読取装置１の前側で、媒体配置部１６に対する情報記録媒体２の挿入操作および抜取り操作を行う操作者は、照明５から情報記録媒体２の上面に照射される光がまぶしいと感じなくなる。また、本形態では、カバー部材１５の奥面部１５ｃは、奥側へ向かう光を遮断する遮光部となっているため、奥面部１５ｃの奥側に配置される撮像素子８に照明４、５から照射される光が直接、入射するのを防止することが可能になる。
【００６１】
本形態では、基板２４に実装される複数の白色ＬＥＤ２０から射出される白色光と複数の赤外線ＬＥＤ２１が射出する赤外光と複数の紫外線ＬＥＤ２２が射出する紫外光とが共通の照明レンズ２５に入射している。そのため、本形態では、白色光が入射する照明レンズと赤外光が入射する照明レンズと紫外光が入射する照明レンズとが個別に設けられている場合と比較して、情報読取装置１の構成を簡素化することが可能になる。
【００６２】
（他の実施の形態）
上述した形態は、本発明の好適な形態の一例ではあるが、これに限定されるものではなく本発明の要旨を変更しない範囲において種々変形実施が可能である。
【００６３】
上述した形態において、均一な白色光が情報記録媒体２に照射されるのであれば、照明レンズ２５の入射面２５ａは、平面状に形成されていても良いし、凹面状に形成されていても良い。同様に、均一な赤外光が情報記録媒体２に照射されるのであれば、照明レンズ２５の入射面２５ｂ、２５ｃは、平面状に形成されていても良いし、凸面状に形成されていても良い。また、均一な紫外光が情報記録媒体２に照射されるのであれば、照明レンズ２５の入射面２５ｄは、平面状に形成されていても良いし、凸面状に形成されていても良い。また、均一な白色光、赤外光、紫外光が情報記録媒体２に照射されるのであれば、照明レンズ２５の光の射出面は、凸曲面によって構成されていても良い。
【００６４】
上述した形態において、ビームスプリッタ１３に代えて、光学系６を通過した光を結像光学系９に向かって通過させる位置と、光学系７を通過した光を結像光学系９に向かって反射する位置とに回動する反射ミラーが設けられていても良い。この反射ミラーは、たとえば、一眼レフカメラの反射ミラーと同様に、左右方向を回動の軸方向として４５°回動する。この場合には、シャッタ機構１４が不要になる。
【００６５】
上述した形態において、ビームスプリッタ１３が、光学系６を通過した光の一部を結像光学系９に向かって反射するとともに光学系７を通過した光の一部を結像光学系９に向かって透過させるように、光学系６、７が構成されても良い。この場合には、たとえば、光学系６は、２個の反射ミラーを備え、光学系７は、３個の反射ミラーを備えている。また、光学系６、７が備える反射ミラーの数は４個以上であっても良い。
【００６６】
上述した形態において、照明４、５は、照明レンズ２５に代えて導光部材を備えていても良い。また、上述した形態において、光学系６を通過した光が入射する結像光学系および撮像素子と、光学系７を通過した光が入射する結像光学系および撮像素子とが個別に設けられていても良い。さらに、上述した形態において、情報読取装置１は、ガラス板３に代えて、たとえば、アクリル板等の透明な樹脂板を備えていても良い。
【００６７】
上述した形態において、情報記録媒体２にＩＣチップが内蔵されていなくても良い。この場合には、ガラス板３の下側に配置されるアンテナおよびアンテナ１７が不要になる。また、上述した形態において、情報記録媒体２は、パスポート２ＡおよびＩＤカード２Ｂ以外の媒体であっても良い。たとえば、情報記録媒体２は、運転免許証であっても良い。また、上述した形態では、情報読取装置１は、手動式の読取装置であるが、本発明の構成が適用される情報読取装置は、情報記録媒体の搬送機構を有する媒体搬送式の読取装置であっても良い。
【符号の説明】
【００６８】
１  情報読取装置
２  情報記録媒体
３  ガラス板（載置部材）
４  照明（第１の照明）
５  照明（第２の照明）
６  光学系（第１の光学系）
７  光学系（第２の光学系）
８  撮像素子
１５  カバー部材
１５ａ  上面部
１５ｂ  側面部
１５ｃ  奥面部
１６  媒体配置部
２０  白色ＬＥＤ
２１  赤外線ＬＥＤ
２２  紫外線ＬＥＤ
２４  基板
２５  照明レンズ
２５ａ  入射面（白色光の入射面）
２５ｂ、２５ｃ  入射面（赤外光の入射面）
２５ｄ  入射面（紫外光の入射面）
３３  反射ミラー
Ｘ  前後方向
Ｘ１  前側
Ｘ２  奥側
Ｙ  左右方向
【図１】
2018026805.tif 000003
【図２】
2018026805.tif 000004
【図３】
2018026805.tif 000005
【図４】
2018026805.tif 000006
【図５】
2018026805.tif 000007
【図６】
2018026805.tif 000008
【図７】
2018026805.tif 000009